(57)【要約】【課題】壁面に固定しているカウンターの下方に、宙吊りのキャビネットが配設されていて、カウンターの下部とキャビネットの側板の上面との間に隙間が生じるのを防止できるキャビネット付きカウンターの取り付け構造を提供する。【解決手段】キャビネットの底板を壁面に固定する際に使用するキャビネット固定金具１２が、前記底板を支持する底板支持片１３と、壁面固定片１４とからなると共に、断面がＬ字状となるように底板支持片１３を壁面固定片１４から屈曲して延設しており、かつ、壁面固定片１４に、略く字状の固定具取り付け用孔１９を複数個形成しているキャビネット固定金具１２であることを特徴とする。また、カウンター固定金具を宙吊りのキャビネットの内側に配設し、カウンター固定金具によってカウンターと共に宙吊りのキャビネットの側板を壁面に固定していることを特徴とする。【選択図】        図２
2004321264.tif 000002
【特許請求の範囲】
【請求項１】
カウンター固定金具を用いて建築物の壁面に固定しているカウンターの下方に、宙吊りのキャビネットが配設されているキャビネット付きカウンターの取り付け構造であって、
宙吊りのキャビネットが両側板と底板とを備えた箱体であり、このキャビネットの底板を壁面に固定する際に使用するキャビネット固定金具が、前記底板を支持する底板支持片と、壁面固定片とからなると共に、断面がＬ字状となるように底板支持片を壁面固定片から屈曲して延設しており、かつ、壁面固定片に、底板支持片と壁面固定片との交差線に対して直交する方向に延びる第１の長孔と、第１の長孔の前記交差線から離れている端部から第１の長孔の側方に延びる第２の長孔とを、連通させて形成している略く字状の固定具取り付け用孔を複数個形成しているキャビネット固定金具であることを特徴とするキャビネット付きカウンターの取り付け構造。
【請求項２】
カウンター固定金具を用いて建築物の壁面に固定しているカウンターの下方に、宙吊りのキャビネットが配設されているキャビネット付きカウンターの取り付け構造であって、
前記カウンター固定金具を宙吊りのキャビネットの内側に配設し、カウンター固定金具によってカウンターと共に宙吊りのキャビネットの側板を建築物の壁面に固定していることを特徴とするキャビネット付きカウンターの取り付け構造。
【請求項３】
前記カウンター固定金具が、宙吊りのキャビネットの側板を支持する側板支持板と、壁面固定板とからなり、断面がＬ字状となるように側板支持板を壁面固定板から屈曲して延設すると共に、側板支持板は鉤形形状に形成されており、その上面でカウンターを支持するアーム部を側板支持板が備えていることを特徴とする請求項２記載のキャビネット付きカウンターの取り付け構造。
【発明の詳細な説明】
【０００１】
【発明の属する技術分野】
本発明は、カウンター固定金具を用いて建築物の壁面に固定しているカウンターの下方に、宙吊りのキャビネットが配設されているキャビネット付きカウンターの取り付け構造に関する。
【０００２】
【従来の技術】
図５に示すように、建築物の壁面２に取り付けられたカウンター３の下方に引出し等を備えたキャビネット４が配設されているキャビネット付きカウンター１がある。このようなキャビネット付きカウンター１では、図６の断面図に示すように、カウンター固定金具５を用いてカウンター３を壁面２に固定している。従来のカウンター固定金具５は、キャビネット４の外側に配設して、カウンター３を壁面２に固定していた。
【０００３】
そして、壁面２にカウンター３に固定した後で、幕板８、底板９、背板１０、側板１１を備える箱体であるキャビネット４を、底板９を支持するキャビネット固定金具１２を用いて壁面２に固定していた。
【０００４】
キャビネット４の底板９を支持して、キャビネット４を壁面２に固定する、従来のキャビネット固定金具１２としては、図７（ａ）、（ｂ）に示すように、キャビネット４の底板９を支持する底板支持片１３と、壁面２に固定される壁面固定片１４とからなり、断面がＬ字状となるように底板支持片１３を壁面固定片１４から屈曲して延設しているものがあった。そして、図７（ａ）に示すキャビネット固定金具１２では、底板支持片１３及び壁面固定片１４のそれぞれに固定具取り付け用孔として丸孔を複数個形成し、図７（ｂ）に示すキャビネット固定金具１２では、底板支持片１３には丸孔、壁面固定片１４には長孔をそれぞれ複数個形成しているものであった。
【０００５】
また、調節機能付き固定金具として、図８に示すように、交差する二片面を有し、一方の片面には交差線と同方向に延びる長孔が形成され、他方の片面には交差線と交差する方向に延びる長孔が形成されている調節機能付き固定金具１５が知られている（例えば特許文献１参照。）
【０００６】
【特許文献１】
特開２００１−２５４７０７号公報
【０００７】
【発明が解決しようとする課題】
カウンター３を、カウンター固定金具５を用いて壁面２に固定した後で、箱体であるキャビネット４を、キャビネット固定金具１２を用いて壁面２に固定した場合には、カウンター３の下部６とキャビネット４の側板１１の上面７との間（図６で矢印Ａが指す位置）に隙間が生じやすいという問題があった。
【０００８】
例えば、キャビネット固定金具１２として、図７（ａ）に示すキャビネット固定金具１２を用いた場合には、金具の取り付け誤差により、カウンター３の下部６とキャビネット４の側板１１の上面７との間に隙間を生じることがある。また、キャビネット固定金具１２として、図７（ｂ）に示すキャビネット固定金具１２を用いた場合には、キャビネット固定金具１２を壁面２に固定する際に、ビス等の固定具を用いてキャビネット固定金具１２を、一旦壁面２に仮固定し、金具の取り付け誤差があった場合、長孔の高さ調節機能を利用して、カウンター３と宙吊りのキャビネット４間に隙間が生じない位置にキャビネット固定金具１２を持ち上げてから、固定具を本固定状態にして、キャビネット固定金具１２を壁面２に固定することができる。しかし、固定具を本固定状態にしてキャビネット４を、壁面２に固定した後で、キャビネット固定金具１２が、荷重によって長孔が延びている方向に沿って移動し、カウンター３の下部６とキャビネット４の側板１１の上面７との間に隙間を生じることがある。
【０００９】
一方、図８に示す調節機能付き固定金具１５をキャビネット固定金具に適用した場合、交差線と交差する方向に延びる長孔を形成している片面を、壁面固定片とすることが可能である。しかし、固定具を用いてキャビネット固定金具を、一旦壁面に仮固定し、仮固定したキャビネット固定金具上にキャビネット４を仮置きした状態で、図６に示すキャビネット４の幕板５とカウンター３とを固定しようとした場合に、図８に示す調節機能付き固定金具１５では、壁面固定片となる片に長孔は１個しか形成されていないため、固定具を用いて壁面に仮固定したキャビネット固定金具の取り付け状態が不安定になるという新たな問題が生じるため、図８に示す調節機能付き固定金具１５はキャビネット固定金具としては使用できない場合があった。
【００１０】
本発明は上記の事情に鑑みて成されたものであり、その目的とするところは、カウンター固定金具を用いて建築物の壁面に固定しているカウンターの下方に、宙吊りのキャビネットが配設されているキャビネット付きカウンターの取り付け構造であって、カウンターの下部とキャビネットの側板の上面との間に隙間が生じるのを防止できるキャビネット付きカウンターの取り付け構造を提供することにある。
【００１１】
【課題を解決するための手段】
請求項１に係る発明のキャビネット付きカウンターの取り付け構造は、カウンター固定金具を用いて建築物の壁面に固定しているカウンターの下方に、宙吊りのキャビネットが配設されているキャビネット付きカウンターの取り付け構造であって、
宙吊りのキャビネットが両側板と底板とを備えた箱体であり、このキャビネットの底板を壁面に固定する際に使用するキャビネット固定金具が、前記底板を支持する底板支持片と、壁面固定片とからなると共に、断面がＬ字状となるように底板支持片を壁面固定片から屈曲して延設しており、かつ、壁面固定片に、底板支持片と壁面固定片との交差線に対して直交する方向に延びる第１の長孔と、第１の長孔の前記交差線から離れている端部から第１の長孔の側方に延びる第２の長孔とを、連通させて形成している略く字状の固定具取り付け用孔を複数個形成しているキャビネット固定金具であることを特徴とする。
【００１２】
請求項２に係る発明のキャビネット付きカウンターの取り付け構造は、カウンター固定金具を用いて建築物の壁面に固定しているカウンターの下方に、宙吊りのキャビネットが配設されているキャビネット付きカウンターの取り付け構造であって、
前記カウンター固定金具を宙吊りのキャビネットの内側に配設し、カウンター固定金具によってカウンターと共に宙吊りのキャビネットの側板を建築物の壁面に固定していることを特徴とする。
【００１３】
請求項３に係る発明のキャビネット付きカウンターの取り付け構造は、請求項２記載のキャビネット付きカウンターの取り付け構造において、前記カウンター固定金具が、宙吊りのキャビネットの側板を支持する側板支持板と、壁面固定板とからなり、断面がＬ字状となるように側板支持板を壁面固定板から屈曲して延設すると共に、側板支持板は鉤形形状に形成されており、その上面でカウンターを支持するアーム部を側板支持板が備えていることを特徴とする請求項２記載のキャビネット付きカウンターの取り付け構造。
【００１４】
【発明の実施の形態】
まず、本発明の第１実施形態を説明する。図１は本発明の第１実施形態を示す概略断面図であり、図２は第１実施形態で用いるキャビネット固定金具１２を示す斜視図であり、図３は第１実施形態におけるキャビネット固定金具１２と固定具との位置関係を示す要部正面図である。なお、図１は、従来技術で説明した図６と同じ図となっている。
【００１５】
第１実施形態のキャビネット付きカウンターの取り付け構造は、図１に示すように、建築物の壁面２にカウンター固定金具５を用いて固定しているカウンター３の下方に、宙吊りのキャビネット４が配設されているキャビネット付きカウンター１の取り付け構造である。ここでいう宙吊りのキャビネットとは、床面等に載置されているキャビネットではなくて、キャビネットの下方が空間となっているキャビネットを表している（以下同じ）。そして、宙吊りのキャビネット４は、両側部に側板１１を、底部に底板９を備えている、箱体である。また、側板１１は、底板９、幕板８及び背板１０と連結している。
【００１６】
第１実施形態では、キャビネット４の底板９を、キャビネット固定金具１２を用いて壁面２に固定することにより、キャビネット４が壁面２に固定される。そして、キャビネット固定金具１２としては、図２（ａ）、（ｂ）に示すように、キャビネット４の底板９を支持する底板支持片１３と、壁面固定片１４とからなり、断面がＬ字状となるように底板支持片１３を壁面固定片１４から屈曲して延設しているものを用いる。このキャビネット固定金具１２は、底板支持片１３と壁面固定片１３との交差線１５に対して直交する方向に延びる第１の長孔１６と、第１の長孔１６の交差線１５から離れている端部１７から、第１の長孔１６の側方に延びる第２の長孔１８とを、連通させて形成している略く字状の固定具取り付け用孔１９を複数個（図２では３個）、壁面固定片１４に形成している。また、このキャビネット固定金具１２の底板支持片１３には固定具を取り付けるための丸孔２０を複数個（図２では３個）形成している。
【００１７】
第１実施形態のキャビネット付きカウンターの取り付け構造における組立手順について説明する。まず、図１に示すように、カウンター３を、カウンター固定金具５を用いて壁面２に固定する。次に、図３（ａ）に示すように、最終の固定位置より少し低目の位置に、ビス等の固定具２０を用いてキャビネット固定金具１２を、壁面２に仮固定する。仮固定した状態では、図３（ａ）に示すように、ビス等の固定具２０は、壁面固定片１４に形成している略く字状をしている固定具取り付け用孔１９の上端の位置にあって、キャビネット固定金具１２を壁面２に仮固定している。固定具取り付け用孔１９は複数個（図３では３個）形成しているので、仮固定した状態でも、キャビネット固定金具１２の底板支持片１３の位置は安定している。次に、幕板８、底板９、背板１０、側板１１を備える箱体であるキャビネット４を、キャビネット固定金具１２の底板支持片１３上に仮置きする。次に、キャビネット４の幕板８をカウンター３の下部６に配設している桟２１にビス等の固定具を用いて固定する。次に、キャビネット４をカウンター３の下部６に押し付けながら、仮固定されているキャビネット固定金具１２を、固定具取り付け用孔１９に沿ってスライドさせて上方及び横方向に移動し、図３（ｂ）に示すように、固定具取り付け用孔１９に形成している第２の長孔１７の位置で固定具２０を本固定状態にして、キャビネット固定金具１２を壁面２に本固定する。次に、ビス等の固定具を用いて、キャビネット４の底板９と、キャビネット固定金具１２の底板支持片１３とを固定する。さらに、キャビネット４の背板１０と壁面２とを、ビス等の固定具を用いて固定して組立を完了する。
【００１８】
このように、第１実施形態のキャビネット付きカウンターの取り付け構造では、キャビネット固定金具１２の壁面固定片１４に複数個の略く字状をしている固定具取り付け用孔１９を形成しているので、固定具取り付け用孔１９に形成している第２の長孔１８の位置で固定具２０を本固定状態にできるため、本固定後にキャビネット固定金具１２にかかる荷重によって、キャビネット固定金具１２が移動することを防止できる。従って、第１実施形態のキャビネット付きカウンターの取り付け構造によれば、カウンターの下部６とキャビネットの側板の上面７との間（図１で矢印Ａが指す位置）に隙間が生じるのを防止することができる。
【００１９】
次に、本発明の第２実施形態を説明する。図４は本発明の第２実施形態を示す要部斜視図である。
【００２０】
本発明の第２実施形態のキャビネット付きカウンターの取り付け構造は、図５に示すように、壁面２に固定しているカウンター３の下方に、宙吊りのキャビネット４が配設されているキャビネット付きカウンター１の取り付け構造である。第２実施形態における宙吊りのキャビネット４は底板のない構造であり、左右の側板１１を、図４に示すように、カウンター３を壁面２に固定するカウンター固定金具５で、壁面２に固定することによって形成されるものである。そのため、カウンター固定金具５は、宙吊りのキャビネット４の内側に配設する。そして、カウンター固定金具５によってカウンター３と共に宙吊りのキャビネット４の側板１１を壁面２に固定する。
【００２１】
第２実施形態におけるカウンター固定金具５は、図４に示すように、宙吊りのキャビネット４の側板１１を支持する側板支持板２２と、壁面固定板２３とからなっており、断面がＬ字状となるように側板支持板２２を壁面固定板２３から屈曲して延設している。そして、側板支持板２２は鉤形形状に形成されており、その水平上面２５でカウンター３を支持するアーム部２４を、側板支持板２２は備えている。また、第２実施形態では、キャビネット４の側板１１にスライドレール２７を備えていて、左右の側板１１間に引出箱２８を挿入できるようにしている。
【００２２】
次に、第２実施形態のキャビネット付きカウンターの取り付け構造における組立手順について説明する。カウンター固定金具５の壁面固定板２３に形成した取り付け用孔に挿入した固定具によって、カウンター固定金具５を壁面２に固定し、側板支持板２２のアーム部２４に鉛直方向に形成した取り付け用孔に挿入した固定具によってカウンター固定金具５をカウンター３に固定することによって、カウンター３を、カウンター固定金具５を用いて壁面２に固定する。
【００２３】
次に、壁面２に固定されているカウンター固定金具５の側板支持板２２と、キャビネット４の側板１１とを、側板支持板２２に水平方向に形成した取り付け用孔に挿入した固定具によって固定する。次に、左右の側板１１間に引出箱２８を挿入して、組立を完了する。
【００２４】
このように、第２実施形態のキャビネット付きカウンターの取り付け構造では、カウンター固定金具５を宙吊りのキャビネットの内側に配設し、カウンター固定金具５によってカウンター３と共に宙吊りのキャビネットの側板１１を建築物の壁面２に固定している。従って、第２実施形態のキャビネット付きカウンターの取り付け構造によれば、カウンター３の下部とキャビネットの側板１１の上面との間に隙間が生じるのを防止することができる。
【００２５】
さらに、第２実施形態のキャビネット付きカウンターの取り付け構造は、幕板、背板、底板なしに宙吊りキャビネット４を構成でき、構成部材数を削減できるという利点がある。
【００２６】
また、第２実施形態のキャビネット付きカウンターの取り付け構造では、側板支持板２２を鉤形形状に形成して、側板支持板２２が、その水平上面２５でカウンター３を支持するアーム部２４を備えるようにしているので、左右の側板１１間に引出箱２８を挿入して、側板支持板２２のアーム部２４の下方に、引出箱２８が収めることができる。そのため、左右の側板１１間に設置する引出箱２８の幅寸法を変えることにより、宙吊りキャビネット４の間口を自由に変えることができる。
【００２７】
なお、第２実施形態のキャビネット４は引出箱タイプのキャビネットとしたが、側板にスライドレールではなくて丁番を取り付け、この丁番に扉を取付けることによって、開き扉タイプのキャビネットとすることもできる。但しその場合には、底板は設置しなければならない。
【００２８】
【発明の効果】
請求項１に係る発明のキャビネット付きカウンターの取り付け構造では、キャビネット固定金具の壁面固定片に複数個の略く字状をしている固定具取り付け用孔を形成しているので、カウンターの下部とキャビネットの側板の上面との間に隙間が生じるのを防止することができる。
【００２９】
請求項２に係る発明のキャビネット付きカウンターの取り付け構造では、カウンター固定金具を宙吊りのキャビネットの内側に配設し、カウンター固定金具によってカウンターと共に宙吊りのキャビネットの側板を建築物の壁面に固定している。従って、請求項２に係る発明のキャビネット付きカウンターによれば、カウンターの下部とキャビネットの側板の上面との間に隙間が生じるのを防止することができる。
【００３０】
請求項３に係る発明のキャビネット付きカウンターの取り付け構造は、カウンター固定金具の側板支持板を鉤形形状に形成して、側板支持板が、その上面でカウンターを支持するアーム部を備えるようにしているので、左右の側板間に引出箱を挿入して、側板支持板のアーム部の下方に、引出箱が収めることができる。そのため、請求項３に係る発明のキャビネット付きカウンターの取り付け構造は、請求項２の発明の効果に加えて、左右の側板間に設置する引出箱の幅寸法を変えることにより、宙吊りキャビネットの間口を自由に変えることができるという効果も奏する。
【図面の簡単な説明】
【図１】本発明の第１実施形態を説明するための断面図である。
【図２】第１実施形態のキャビネット固定金具を示す、（ａ）は斜視図、（ｂ）は正面図である。
【図３】第１実施形態における、キャビネット固定金具と固定具との位置関係を示す正面図である。
【図４】本発明の第２実施形態を説明するための斜視図である。
【図５】キャビネット付きカウンターを示す斜視図である。
【図６】従来のキャビネット付きカウンターを説明するための断面図である。
【図７】従来のキャビネット固定金具を示すは斜視図である。
【図８】従来の調節機能付き固定金具を示す（ａ）は正面図、（ｂ）は平面図、（ｃ）は断面図である。
【符号の説明】
１  キャビネット付きカウンター
２  壁面
３  カウンター
４  キャビネット
５  カウンター固定金具
６  下部
７  上面
８  幕板
９  底板
１０  背板
１１  側板
１２  キャビネット固定金具
１３  底板支持片
１４  壁面固定片
１５  交差線
１６  第１の長孔
１７  端部
１８  第２の長孔
１９  固定具取り付け用孔
２０  固定具
２２  側板支持板
２３  壁面固定板
２４  アーム部
２５  水平上面
２７  スライドレール
２８  引出箱
【図１】
2004321264.tif 000003
【図２】
2004321264.tif 000004
【図３】
2004321264.tif 000005
【図４】
2004321264.tif 000006
【図５】
2004321264.tif 000007
【図６】
2004321264.tif 000008
【図７】
2004321264.tif 000009
【図８】
2004321264.tif 000010